(57)【要約】【課題】蓄電池を含む太陽光発電システムの状態が売電状態と買電状態とのいずれであるかを容易に判定可能な制御装置を提供する。【解決手段】制御装置は、表示画面８３を備える。表示画面８３は、発電電力表示部８３１と、充放電電力表示部８３２と、消費電力表示部８３３と、売電／買電状態表示部８３４と、ＬＥＤ８３５とを含む。少なくとも発電電力表示部８３１、充放電電力表示部８３２および消費電力表示部８３３は、表示画面８３に向かって左から右の方向に向かう方向に発電電力表示部８３１、充放電電力表示部８３２および消費電力表示部８３３の順で配置される。ＬＥＤ８３５は、売電／買電状態表示部８３４に売電中が表示されているとき、青色で発光し、売電／買電状態表示部８３４に買電中が表示されているとき、橙色で発光する。【選択図】図３
2014054084.tif 000002
【特許請求の範囲】
【請求項１】
太陽電池と電力系統と蓄電池と負荷とを含む太陽光発電システムに用いられる制御装置であって、
前記太陽電池が発電した発電電力と、前記蓄電池を充放電するときの充放電電力と、前記負荷における消費電力とを検出する電力検出手段と、
前記発電電力を表示する発電電力表示部と、前記充放電電力を表示する充放電電力表示部と、前記消費電力を表示する消費電力表示部と、前記電力系統へ電力を売る状態である売電状態と前記電力系統から電力を買う状態である買電状態とのいずれか一方を表示する売電／買電状態表示部とを含む表示画面と、
前記電力系統に流れる電流に基づいて前記太陽光発電システムの状態が前記売電状態および前記買電状態のいずれであるかを判定し、前記発電電力、前記充放電電力、前記消費電力および前記太陽光発電システムの状態をそれぞれ前記発電電力表示部、前記充放電電力表示部、前記消費電力表示部および前記売電／買電状態表示部に表示するように前記表示画面を制御する制御手段とを備え、
少なくとも前記発電電力表示部、前記充放電電力表示部および前記消費電力表示部は、前記表示画面に向かって左から右に向かう方向に前記発電電力表示部、前記充放電電力表示部および前記消費電力表示部の順番で配置されている、制御装置。
【請求項２】
前記売電／買電状態表示部は、前記表示画面に向かって前記消費電力表示部の右側に配置されている、請求項１に記載の制御装置。
【請求項３】
前記売電／買電状態表示部は、前記表示画面に向かって前記発電電力表示部の左側に配置されている、請求項１に記載の制御装置。
【請求項４】
前記制御手段は、前記充放電電力が放電電力からなる場合、前記発電電力表示部の背景色と前記充放電電力表示部の背景色とを同じにして前記発電電力および前記充放電電力をそれぞれ前記発電電力表示部および前記充放電電力表示部に表示する、請求項１から請求項３のいずれか１項に記載の制御装置。
【請求項５】
前記制御手段は、前記充放電電力が充電電力からなる場合、前記消費電力表示部の背景色と前記充放電電力表示部の背景色とを同じにして前記充放電電力および前記消費電力をそれぞれ前記充放電電力表示部および前記消費電力表示部に表示する、請求項１から請求項３のいずれか１項に記載の制御装置。
【請求項６】
前記売電状態および前記買電状態に応じてそれぞれ異なる色の光を発光する発光部を更に備え、
前記制御手段は、前記太陽光発電システムの状態が前記売電状態であるとき第１の色の光を発光するように前記発光部を制御し、前記太陽光発電システムの状態が前記買電状態であるとき前記第１の色と異なる第２の色の光を発光するように前記発光部を制御する、請求項１から請求項５のいずれか１項に記載の制御装置。
【請求項７】
前記制御手段は、前記太陽光発電システムの状態が前記売電状態であるとき青色の光を発光するように前記発光部を制御し、前記太陽光発電システムの状態が前記買電状態であるとき橙色の光を発光するように前記発光部を制御する、請求項６に記載の制御装置。
【請求項８】
電力を発電する太陽電池と、
電力会社からの電力を供給する電力系統と、
電力を蓄積する蓄電池と、
電力を消費する負荷と、
請求項１から請求項７のいずれか１項に記載の制御装置とを備える太陽光発電システム。
【発明の詳細な説明】
【技術分野】
【０００１】
この発明は、制御装置およびそれを備えた太陽光発電システムに関するものである。
【背景技術】
【０００２】
従来、省エネルギーのための動機付けを視覚的に与えるエネルギー機器稼動状況表示モニターが知られている（特許文献１）。
【０００３】
このエネルギー機器稼動状況表示モニターは、発電情報表示部と、電力消費情報表示部とを備える。発電情報表示部および電力消費情報表示部は、エネルギー機器稼動状況表示モニターの画面に隣接して配置される。
【０００４】
そして、発電情報表示部においては、当日のカウント開始時刻から現在時刻までの総発電量が棒グラフによって表示される。また、電力消費情報表示部においては、当日のカウント開始時刻から現在時刻までの総消費量が棒グラフによって表示される。
【０００５】
その結果、総発電量と総消費量との差が一目瞭然で解り、現在の時刻以降における強い省エネルギーの動機付けとなる。
【先行技術文献】
【特許文献】
【０００６】
【特許文献１】特開２００８−１４１８４３号公報
【発明の概要】
【発明が解決しようとする課題】
【０００７】
しかし、特許文献１に記載されたエネルギー機器稼動状況表示モニターは、蓄電池に充放電する充放電電力を表示の対象にしていないため、蓄電池を含む太陽光発電システムの状態が売電状態と買電状態とのいずれであるかを表示することが困難であるという問題がある。
【０００８】
この発明の実施の形態によれば、蓄電池を含む太陽光発電システムの状態が売電状態と買電状態とのいずれであるかを容易に判定可能な制御装置を提供する。
【０００９】
また、この発明の実施の形態によれば、蓄電池を含む太陽光発電システムの状態が売電状態と買電状態とのいずれであるかを容易に判定可能な制御装置を備える太陽光発電システムを提供する。
【課題を解決するための手段】
【００１０】
この発明の実施の形態によれば、制御装置は、太陽電池と電力系統と蓄電池と負荷とを含む太陽光発電システムに用いられる制御装置であって、電力検出手段と、表示画面と、制御手段とを備える。電力検出手段は、太陽電池が発電した発電電力と、蓄電池を充放電するときの充放電電力と、負荷における消費電力とを検出する。表示画面は、発電電力を表示する発電電力表示部と、充放電電力を表示する充放電電力表示部と、消費電力を表示する消費電力表示部と、電力系統へ電力を売る状態である売電状態と電力系統から電力を買う状態である買電状態とのいずれか一方を表示する売電／買電状態表示部とを含む。制御手段は、電力系統に流れる電流に基づいて太陽光発電システムの状態が売電状態および買電状態のいずれであるかを判定し、発電電力、充放電電力、消費電力および太陽光発電システムの状態をそれぞれ発電電力表示部、充放電電力表示部、消費電力表示部および売電／買電状態表示部に表示するように表示画面を制御する。そして、少なくとも発電電力表示部、充放電電力表示部および消費電力表示部は、表示画面に向かって左から右に向かう方向に発電電力表示部、充放電電力表示部および消費電力表示部の順番で配置されている。
【００１１】
また、この発明の実施の形態によれば、太陽光発電システムは、電力を発電する太陽電池と、電力会社からの電力を供給する電力系統と、電力を蓄積する蓄電池と、電力を消費する負荷と、請求項１から請求項７のいずれか１項に記載の制御装置とを備える。
【発明の効果】
【００１２】
この発明の実施の形態による制御装置においては、少なくとも発電電力表示部、充放電電力表示部および消費電力表示部は、表示画面に向かって左から右に向かう方向に発電電力表示部、充放電電力表示部および消費電力表示部の順番で配置されている。また、現在の太陽光発電システムの状態（売電状態または買電状態）は、（発電電力）±（充放電電力）−（消費電力）の演算によって算出される。その結果、現在の太陽光発電システムの状態を算出する（発電電力）±（充放電電力）−（消費電力）の式は、表示画面上に実現される。
【００１３】
従って、蓄電池を含む太陽光発電システムの状態が売電状態と買電状態とのいずれであるかを容易に判定できる。
【００１４】
また、この発明の実施の形態による太陽光発電システムは、上述した制御装置を備える。
【００１５】
従って、上述したように、蓄電池を含む現在の太陽光発電システムの状態が、売電状態と買電状態とのいずれであるかを容易に判定できる。
【図面の簡単な説明】
【００１６】
【図１】この発明の実施の形態による太陽光発電システムの概略図である。
【図２】図１に示す制御装置の構成を示す概略図である。
【図３】図２に示す表示画面の構成を示す概略図である。
【図４】図２に示す表示画面の別の構成を示す概略図である。
【図５】図１に示す太陽光発電システムの動作状態を示す概略図である。
【図６】太陽光発電システムが図５に示す動作状態であるときの表示画面の具体例を示す図である。
【図７】図１に示す太陽光発電システムの別の動作状態を示す概略図である。
【図８】太陽光発電システムが図７に示す動作状態であるときの表示画面の具体例を示す図である。
【図９】図１に示す太陽光発電システムの更に別の動作状態を示す概略図である。
【図１０】太陽光発電システムが図９に示す動作状態であるときの表示画面の具体例を示す図である。
【図１１】図１に示す太陽光発電システムの更に別の動作状態を示す概略図である。
【図１２】太陽光発電システムが図１１に示す動作状態であるときの表示画面の具体例を示す図である。
【図１３】図１に示す太陽光発電システムの更に別の動作状態を示す概略図である。
【図１４】太陽光発電システムが図１３に示す動作状態であるときの表示画面の具体例を示す図である。
【図１５】図１に示す太陽光発電システムの更に別の動作状態を示す概略図である。
【図１６】太陽光発電システムが図１５に示す動作状態であるときの表示画面の具体例を示す図である。
【図１７】図１に示す太陽光発電システムの更に別の動作状態を示す概略図である。
【図１８】図１に示す太陽光発電システムの更に別の動作状態を示す概略図である。
【発明を実施するための形態】
【００１７】
本発明の実施の形態について図面を参照しながら詳細に説明する。なお、図中同一または相当部分には同一符号を付してその説明は繰返さない。
【００１８】
図１は、この発明の実施の形態による太陽光発電システムの概略図である。図１を参照して、この発明の実施の形態による太陽光発電システム１００は、太陽電池１０と、パワーコンディショナー２０，３０と、蓄電池ボックス４０と、電力系統５０と、売買センサー６０と、電流センサー７０と、制御装置８０と、家庭内負荷９０と、家庭内専用負荷１１０とを備える。
【００１９】
パワーコンディショナー２０は、ＤＣ／ＤＣ変換器２１と、ＤＣ／ＡＣ変換器２２と、保護リレー２３と、連系リレー２４と、自立リレー２５とを含む。
【００２０】
パワーコンディショナー３０は、ＤＣ／ＤＣ変換器３１と、双方向ＤＣ／ＡＣ変換器３２と、双方向ＤＣ／ＤＣ変換器３３と、保護リレー３４と、連系リレー３５と、自立リレー３６とを含む。
【００２１】
蓄電池ボックス４０は、ブレーカ４１と、蓄電池４２と、切替スイッチ４３とを含む。
【００２２】
太陽電池１０は、配線ｗ１によってパワーコンディショナー２０のＤＣ／ＤＣ変換器２１に接続され、配線ｗ１，ｗ２によってパワーコンディショナー３０のＤＣ／ＤＣ変換器３１に接続される。
【００２３】
ＤＣ／ＤＣ変換器２１は、配線ｗ３によってＤＣ／ＡＣ変換器２２に接続される。ＤＣ／ＡＣ変換器２２は、配線ｗ４によって保護リレー２３に接続され、配線ｗ４，ｗ７によって自立リレー２５に接続される。
【００２４】
保護リレー２３は、配線ｗ５によって連系リレー２４に接続される。連系リレー２４は、配線ｗ６に接続される。
【００２５】
ＤＣ／ＤＣ変換器３１は、配線ｗ８によって双方向ＤＣ／ＡＣ変換器３２に接続され、配線ｗ８，ｗ１０によって双方向ＤＣ／ＤＣ変換器３３に接続され、配線ｗ３，ｗ９によってＤＣ／ＤＣ変換器２１およびＤＣ／ＡＣ変換器２２に接続される。双方向ＤＣ／ＡＣ変換器３２は、配線ｗ１１によって保護リレー３４に接続され、配線ｗ１１，ｗ１３によって自立リレー３６に接続される。
【００２６】
保護リレー３４は、配線ｗ１２によって連系リレー３５に接続される。連系リレー３５は、配線ｗ１７に接続される。自立リレー３６は、配線ｗ１５によって切替スイッチ４３に接続される。
【００２７】
ブレーカ４１は、配線ｗ１４によって双方向ＤＣ／ＤＣ変換器３３に接続される。蓄電池４２は、ブレーカ４１に接続される。
【００２８】
切替スイッチ４３は、スイッチ４３１と、端子４３２，４３３とを含む。スイッチ４３１は、配線ｗ１９によって家庭内専用負荷１１０に接続される。端子４３２は、配線ｗ１５によって自立リレー３６に接続される。端子４３３は、配線ｗ１８に接続される。
【００２９】
電力系統５０は、配線ｗ６に接続され、家庭内負荷９０は、配線ｗ１６に接続され、家庭内専用負荷１１０は、配線ｗ１９に接続される。
【００３０】
太陽電池１０は、太陽光によって電力を発電する。そして、太陽電池１０は、その発電した発電電力ＰＷ１を配線ｗ１を介してパワーコンディショナー２０のＤＣ／ＤＣ変換器２１に供給する。また、太陽電池１０は、その発電した発電電力ＰＷ２を配線ｗ１，ｗ２を介してパワーコンディショナー３０のＤＣ／ＤＣ変換器３１に供給する。
【００３１】
より具体的には、太陽電池１０は、３つのブロックＢＬＫ１〜ＢＬＫ３からなり、２つのブロックＢＬＫ１，ＢＬＫ２によって発電した発電電力ＰＷ１を配線ｗ１を介してパワーコンディショナー２０のＤＣ／ＤＣ変換器２１に供給し、ブロックＢＬＫ３によって発電した発電電力ＰＷ２を配線ｗ１，ｗ２を介してパワーコンディショナー３０のＤＣ／ＤＣ変換器３１に供給する。
【００３２】
パワーコンディショナー２０は、太陽電池１０からの発電電力ＰＷ１を示す発電情報ＰＧ１をＲＳ４８５の通信によって制御装置８０へ送信する。
【００３３】
パワーコンディショナー２０のＤＣ／ＤＣ変換器２１は、太陽電池１０からの発電電力ＰＷ１（＝直流電力）を所望の直流電圧を有する直流電力に変換し、その変換した直流電力を配線ｗ３を介してＤＣ／ＡＣ変換器２２へ供給する。
【００３４】
ＤＣ／ＡＣ変換器２２は、ＤＣ／ＤＣ変換器２１，３１から受けた直流電力を交流電力に変換する。そして、ＤＣ／ＡＣ変換器２２は、保護リレー２３および連系リレー２４がオンされ、かつ、自立リレー２５がオフされているとき、保護リレー２３、連系リレー２４および配線ｗ４〜ｗ６を介して交流電力を電力系統５０および家庭内負荷９０へ供給し、または保護リレー２３、連系リレー２４および配線ｗ４〜ｗ６を介して交流電力を電力系統５０、家庭内負荷９０およびパワーコンディショナー３０へ供給し、または保護リレー２３、連系リレー２４および配線ｗ４〜ｗ６を介して交流電力を家庭内負荷９０およびパワーコンディショナー３０へ供給し、または保護リレー２３、連系リレー２４および配線ｗ４〜ｗ６を介して交流電力を家庭内負荷９０へ供給する。
【００３５】
保護リレー２３および連系リレー２４の各々は、停電していないとき、オンし、停電すると、オフする。
【００３６】
自立リレー２５は、停電していないとき、オフし、ユーザによって停電からの復帰が指示されると、オンする。
【００３７】
パワーコンディショナー３０は、蓄電池４２を充放電する充放電電力ＣＰ／ＤＣＰからなる蓄電池情報ＢＰＷを蓄電池ボックス４０から受ける。そして、パワーコンディショナー３０は、太陽電池１０からの発電電力ＰＷ２を示す発電情報ＰＧ２と蓄電池情報ＢＰＷとをＲＳ４８５の通信によって制御装置８０へ送信する。なお、充放電電力ＣＰ／ＤＣＰは、蓄電池４２を充電する充電電力ＣＰＷまたは蓄電池４２から放電する放電電力ＤＰＷからなる。
【００３８】
パワーコンディショナー３０のＤＣ／ＤＣ変換器３１は、太陽電池１０から受けた発電電力ＰＷ２（＝直流電力）を所望の直流電圧を有する直流電力に変換する。そして、ＤＣ／ＤＣ変換器３１は、運転モードおよび連系モードにおいては、その変換した直流電力を配線ｗ９を介してパワーコンディショナー２０のＤＣ／ＡＣ変換器２２へ供給する。また、ＤＣ／ＤＣ変換器３１は、自立モードにおいては、その変換した直流電力を配線ｗ８，ｗ１０を介して双方向ＤＣ／ＡＣ変換器３２および双方向ＤＣ／ＤＣ変換器３３へ供給し、またはその変換した直流電力を配線ｗ８を介して双方向ＤＣ／ＡＣ変換器３２へ供給する。
【００３９】
双方向ＤＣ／ＡＣ変換器３２は、配線ｗ１１を介して交流電力を受けると、その受けた交流電力を直流電力に変換し、その変換した直流電力を双方向ＤＣ／ＤＣ変換器３３へ供給する。
【００４０】
また、双方向ＤＣ／ＡＣ変換器３２は、直流電力をＤＣ／ＤＣ変換器３１および／または双方向ＤＣ／ＤＣ変換器３３から受けると、その受けた直流電力を交流電力に変換する。そして、双方向ＤＣ／ＡＣ変換器３２は、保護リレー３４および連系リレー３５がオンされ、自立リレー３６がオフされているとき、その変換した交流電力を配線ｗ１１に供給する。また、双方向ＤＣ／ＡＣ変換器３２は、保護リレー３４および連系リレー３５がオフされ、自立リレー３６がオンされているとき、その変換した交流電力を配線ｗ１５を介して切替スイッチ４３へ供給する。
【００４１】
双方向ＤＣ／ＤＣ変換器３３は、ＤＣ／ＤＣ変換器３１および／または双方向ＤＣ／ＡＣ変換器３２から直流電力を受けると、その受けた直流電力を所望の直流電圧を有する直流電力に変換し、その変換した直流電力によってブレーカ４１を介して蓄電池４２を充電する。
【００４２】
保護リレー３４および連系リレー３５の各々は、停電していないとき、オンし、停電すると、オフする。
【００４３】
自立リレー３６は、停電していないとき、オフし、停電すると、オンする。
【００４４】
蓄電池ボックス４０は、蓄電池情報ＢＰＷをパワーコンディショナー３０へ出力する。
【００４５】
蓄電池ボックス４０のブレーカ４１は、蓄電池ボックス４０によってオン／オフされる。蓄電池４２は、ブレーカ４１がオンされているとき、双方向ＤＣ／ＤＣ変換器３３からの直流電力によって充電され、または直流電力を双方向ＤＣ／ＤＣ変換器３３へ放電する。即ち、蓄電池４２は、電力を蓄積し、または蓄積した電力を放電する。なお、蓄電池４２の充電／放電は、制御装置８０によって制御される。
【００４６】
切替スイッチ４３のスイッチ４３１は、停電していないとき、制御装置８０からの切替信号ＥＸによって端子４３３に接続され、停電すると、切替信号ＥＸによって端子４３２に接続される。
【００４７】
切替信号ＥＸは、例えば、Ｈ（論理ハイ）レベルまたはＬ（論理ロー）レベルからなる。そして、スイッチ４３１は、Ｈレベルの切替信号ＥＸを制御装置８０から受けると、端子４３３に接続され、Ｌレベルの切替信号ＥＸを制御装置８０から受けると、端子４３２に接続される。
【００４８】
電力系統５０は、電力会社からの交流電力を配線ｗ６，ｗ１６を介して家庭内負荷９０およびパワーコンディショナー３０に供給し、または電力会社からの交流電力を配線ｗ６，ｗ１６を介して家庭内負荷９０に供給する。また、電力系統５０は、パワーコンディショナー２０からの発電電力ＰＷの一部を電力会社へ供給する。更に、電力系統５０は、電力会社からの交流電力を配線ｗ６，ｗ１６，ｗ１７，ｗ１８、切替スイッチ４３および配線ｗ１９を介して家庭内専用負荷１１０に供給する。
【００４９】
売買センサー６０は、電力系統５０からパワーコンディショナー２０の方向へ流れている電流Ｉ１からなる電流ＩＵＧ、またはパワーコンディショナー２０から電力系統５０の方向へ流れている電流Ｉ２からなる電流ＩＵＧを検出し、その検出した電流ＩＵＧをＲＳ４８５の通信によって制御装置８０へ送信する。
【００５０】
電流センサー７０は、配線ｗ６に流れる電流を検出し、その検出した電流をパワーコンディショナー３０へ出力する。
【００５１】
制御装置８０は、売買センサー６０から電流ＩＵＧを受信し、パワーコンディショナー２０から発電情報ＰＧ１を受信し、パワーコンディショナー３０から発電情報ＰＧ２／蓄電池情報ＢＰＷを受信する。
【００５２】
制御装置８０は、電流ＩＵＧに基づいて、太陽光発電システム１００の状態が売電状態であるか買電状態であるかを判定する。より具体的には、制御装置８０は、電流ＩＵＧが電流Ｉ１からなるとき、太陽光発電システム１００の状態が買電状態であると判定し、電流ＩＵＧが電流Ｉ２からなるとき、太陽光発電システム１００の状態が売電状態であると判定する。
【００５３】
制御装置８０は、発電情報ＰＧ１，ＰＧ２に基づいて、発電情報ＰＧ１によって示される発電電力ＰＷ１と発電情報ＰＧ２によって示される発電電力ＰＷ２とを加算して太陽電池１０による発電電力ＰＷを演算する。
【００５４】
制御装置８０は、蓄電池４２が放電中であり、かつ、太陽光発電システム１００の状態が売電状態であるとき、次式によって消費電力ＣＳＭを演算する。
【００５５】
消費電力＝（発電電力）＋（放電電力）−（売電電力）・・・（１）
なお、制御装置８０は、太陽光発電システム１００の状態が売電状態であるとき、電流Ｉ２に基づいて売電電力を演算する。
【００５６】
また、制御装置８０は、蓄電池４２が放電中であり、かつ、太陽光発電システム１００の状態が買電状態であるとき、次式によって消費電力ＣＳＭを演算する。
【００５７】
消費電力＝（発電電力）＋（放電電力）＋（買電電力）・・・（２）
なお、制御装置８０は、太陽光発電システム１００の状態が買電状態であるとき、電流Ｉ１に基づいて買電電力を演算する。
【００５８】
更に、制御装置８０は、蓄電池４２が充電中であり、かつ、太陽光発電システム１００の状態が売電状態であるとき、次式によって消費電力ＣＳＭを演算する。
【００５９】
消費電力＝（発電電力）−（充電電力）−（売電電力）・・・（３）
更に、制御装置８０は、蓄電池４２が充電中であり、かつ、太陽光発電システム１００の状態が買電状態であるとき、次式によって消費電力ＣＳＭを演算する。
【００６０】
消費電力＝（発電電力）−（充電電力）＋（買電電力）・・・（４）
そうすると、制御装置８０は、発電電力ＰＷ、充放電電力ＣＰ／ＤＣＰ、消費電力ＣＳＭおよび太陽光発電システム１００の状態を後述する方法によって表示画面に表示する。
【００６１】
更に、制御装置８０は、パワーコンディショナー２０，３０のモードを運転モード、停止モード、連系モードおよび自立モードのいずれかに制御するとともに、蓄電池４２の充電／放電を制御する。
【００６２】
更に、制御装置８０は、電力系統５０が停電し、表示画面の“運転切り替えボタン”がユーザによってタッチされると、パワーコンディショナー３０の自立リレー３６をオンし、保護リレー３４および連系リレー３５をオフするようにパワーコンディショナー３０を制御し、蓄電池４２が放電または充電するように蓄電池ボックス４０を制御するとともに、スイッチ４３１を端子４３２に接続するように蓄電池ボックス４０を制御する。これによって、発電電力ＰＷ２および蓄電池４２からの放電電力ＤＰＷ、または発電電力ＰＷ２が家庭内専用負荷１１０に供給される。
【００６３】
家庭内負荷９０は、テレビ、エアコン、冷蔵庫、洗濯器および照明等の一般に家庭内に存在する電気機器からなる。家庭内専用負荷１１０は、停電時にオンすることが必要な電気機器からなる。より具体的には、家庭内専用負荷１１０は、照明および冷蔵庫等からなる。
【００６４】
そして、家庭内負荷９０および家庭内専用負荷１１０は、電力を消費する。
【００６５】
図２は、図１に示す制御装置８０の構成を示す概略図である。図２を参照して、制御装置８０は、電力検出手段８１と、制御手段８２と、表示画面８３とを含む。
【００６６】
電力検出手段８１は、売買センサー６０から電流ＩＵＧを受信し、パワーコンディショナー２０から発電情報ＰＧ１を受信し、パワーコンディショナー３０から発電情報ＰＧ２／蓄電池情報ＢＰＷを受信する。
【００６７】
そして、電力検出手段８１は、電流ＩＵＧに基づいて、上述した方法によって、太陽光発電システム１００の状態が売電状態であるか買電状態であるかを判定する。
【００６８】
また、電力検出手段８１は、発電情報ＰＧ１，ＰＧ２に基づいて、発電情報ＰＧ１によって示される発電電力ＰＷ１と発電情報ＰＧ２によって示される発電電力ＰＷ２とを加算して太陽電池１０による発電電力ＰＷを演算する。
【００６９】
更に、電力検出手段８１は、蓄電池情報ＢＰＷから充放電電力ＣＰ／ＤＣＰを検出する。この充放電電力ＣＰ／ＤＣＰは、充電電力ＣＰＷまたは放電電力ＤＰＷからなる。
【００７０】
更に、電力検出手段８１は、電流Ｉ１に基づいて買電電力を演算し、電流Ｉ２に基づいて売電電力を演算する。
【００７１】
そうすると、電力検出手段８１は、式（１）〜式（４）のいずれかを用いて消費電力ＣＳＭを演算する。
【００７２】
そして、電力検出手段８１は、発電電力ＰＷ、充放電電力ＣＰ／ＤＣＰ、消費電力ＣＳＭおよび太陽光発電システム１００の状態を制御手段８２へ出力する。
【００７３】
制御手段８２は、発電電力ＰＷ、充放電電力ＣＰ／ＤＣＰ、消費電力ＣＳＭおよび太陽光発電システム１００の状態を電圧検出手段８１から受け、その受けた発電電力ＰＷ、充放電電力ＣＰ／ＤＣＰ、消費電力ＣＳＭおよび太陽光発電システム１００の状態を後述する方法によって表示するように表示画面８３を制御する。
【００７４】
この場合、制御手段８２は、充放電電力ＣＰ／ＤＣＰが放電電力ＤＰＷからなる場合、充放電電力ＣＰ／ＤＣＰを表示する部分の背景色を発電電力ＰＷを表示する部分の背景色と同じ色に設定するように表示画面８３を制御する。また、制御手段８２は、充放電電力ＣＰ／ＤＣＰが充電電力ＣＰＷからなる場合、充放電電力ＣＰ／ＤＣＰを表示する部分の背景色を消費電力を表示する部分の背景色と同じ色に設定するように表示画面８３を制御する。
【００７５】
これによって、充放電電力ＣＰ／ＤＣＰが発電電力ＰＷと同じように家庭内負荷９０に供給される電力、または充放電電力ＣＰ／ＤＣＰが消費電力ＣＳＭと同じように消費される電力であることをユーザに視覚的に認識させることができる。
【００７６】
また、制御手段８２は、表示画面の“運転切り替えボタン”がユーザによってタッチされると、太陽光発電システム１００の復帰が指示されたことを検知する。
【００７７】
更に、制御手段８２は、パワーコンディショナー２０，３０のモードを運転モード、停止モード、連系モードおよび自立モードのいずれかに制御するとともに、蓄電池４２の充電／放電を制御する。
【００７８】
更に、制御手段８２は、太陽光発電システム１００のモードが運転モードまたは連系モードであるとき、Ｈレベルの切替信号ＥＸを切替スイッチ４３へ出力する。また、制御手段８２は、太陽光発電システム１００のモードが自立モードであるとき、Ｌレベルの切替信号ＥＸを切替スイッチ４３へ出力する。
【００７９】
表示画面８３は、制御手段８２からの制御に従って、発電電力ＰＷ、充放電電力ＣＰ／ＤＣＰ、消費電力ＣＳＭおよび太陽光発電システム１００の状態を表示する。
【００８０】
図３は、図２に示す表示画面８３の構成を示す概略図である。図３を参照して、表示画面８３は、発電電力表示部８３１と、充放電電力表示部８３２と、消費電力表示部８３３と、売電／買電状態表示部８３４と、ＬＥＤ（Ｌｉｇｈｔ  Ｅｍｉｔｔｉｎｇ  Ｄｅｖｉｃｅ）８３５と、運転切り替えボタン８３６とを含む。
【００８１】
発電電力表示部８３１、充放電電力表示部８３２、消費電力表示部８３３および売電／買電状態表示部８３４は、表示画面８３に向かって左から右の方向に向かう方向に発電電力表示部８３１、充放電電力表示部８３２、消費電力表示部８３３および売電／買電状態表示部８３４の順で配置される。
【００８２】
ＬＥＤ８３５は、表示画面８３の左右方向の略中央において表示画面８３の下部に配置される。
【００８３】
運転切り替えボタン８３６は、表示画面８３の左下部に配置される。運転切り替えボタン８３６は、表示画面８３の左下部への配置に限定されるものではなく、表示画面８３を有する表示装置の側面に配置されていてもよい。
【００８４】
発電電力表示部８３１が最も左側に配置されるのは、発電電力表示部８３１に表示される発電電力ＰＷは、必ず正の値になるからである。
【００８５】
また、充放電電力表示部８３２が発電電力表示部８３１と消費電力表示部８３３との間に表示されるのは、充放電電力表示部８３２に表示される充放電電力ＣＰ／ＤＣＰは、発電電力ＰＷと同じように家庭内負荷９０に供給される電力、または消費電力ＣＳＭと同じように消費される電力になり、発電電力ＰＷに加算されたり、消費電力ＣＳＭに加算されたりするからである。この場合、充放電電力ＣＰ／ＤＣＰが放電電力ＤＰＷからなる場合、充放電電力ＣＰ／ＤＣＰは、正の値であり、発電電力ＰＷに加算される。また、充放電電力ＣＰ／ＤＣＰが充電電力ＣＰＷからなる場合、充放電電力ＣＰ／ＤＣＰは、負の値であり、消費電力ＣＳＭに加算される。
【００８６】
更に、発電電力表示部８３１、充放電電力表示部８３２、消費電力表示部８３３および売電／買電状態表示部８３４が表示画面８３に向かって左から右の方向に向かう方向に発電電力表示部８３１、充放電電力表示部８３２、消費電力表示部８３３および売電／買電状態表示部８３４の順で配置される理由は、次のとおりである。
【００８７】
発電電力表示部８３１、充放電電力表示部８３２および消費電力表示部８３３にそれぞれ表示される発電電力ＰＷ、充放電電力ＣＰ／ＤＣＰおよび消費電力ＣＳＭは、太陽光発電システム１００の現在の状態（＝売電状態または買電状態）を算出する要因であり、太陽光発電システム１００の状態を算出する要因である発電電力ＰＷ、充放電電力ＣＰ／ＤＣＰおよび消費電力ＣＳＭを相互に加算または減算すると、解答としての売電状態または買電状態が算出されるという数式を表示画面８３に実現できるからである。
【００８８】
発電電力表示部８３１は、発電電力ＰＷを表示する。充放電電力表示部８３２は、充放電電力ＣＰ／ＤＣＰを表示する。消費電力表示部８３３は、消費電力ＣＳＭを表示する。売電／買電状態表示部８３４は、売電状態または買電状態を表示する。
【００８９】
充放電電力ＣＰ／ＤＣＰが放電電力ＤＰＷからなる場合、充放電電力表示部８３２の背景色は、発電電力表示部８３１の背景色と同じ色に設定される。また、充放電電力ＣＰ／ＤＣＰが充電電力ＣＰＷからなる場合、充放電電力表示部８３２の背景色は、消費電力表示部８３３の背景色と同じ色に設定される。
【００９０】
ＬＥＤ８３５は、太陽光発電システム１００の状態が売電状態であるとき青色の光を発光し、太陽光発電システム１００の状態が買電状態であるとき橙色の光を発光する。
【００９１】
運転切り替えボタン８３６は、電力系統５０が停電して太陽光発電システム１００が停止した後に、太陽光発電システム１００を復帰させるときに、ユーザによってタッチされる。
【００９２】
図４は、図２に示す表示画面８３の別の構成を示す概略図である。この発明の実施の形態においては、表示画面８３は、図４に示す表示画面８３Ａであってもよい。
【００９３】
図４を参照して、表示画面８３Ａは、図３に示す表示画面８３の売電／買電状態表示部８３４の配置位置を消費電力表示部８３３の右側から発電電力表示部８３１の左側へ変えたものであり、その他は、表示画面８３と同じである。
【００９４】
このように、表示画面８３Ａにおいては、売電／買電状態表示部８３４、発電電力表示部８３１、充放電電力表示部８３２および消費電力表示部８３３は、表示画面８３Ａに向かって左から右の方向に向かう方向に売電／買電状態表示部８３４、発電電力表示部８３１、充放電電力表示部８３２および消費電力表示部８３３の順で配置される。
【００９５】
そして、表示画面８３Ａにおいては、売電／買電状態表示部８３４、発電電力表示部８３１、充放電電力表示部８３２および消費電力表示部８３３が表示画面８３に向かって左から右の方向に向かう方向に売電／買電状態表示部８３４、発電電力表示部８３１、充放電電力表示部８３２および消費電力表示部８３３の順で配置される理由は、発電電力表示部８３１、充放電電力表示部８３２、消費電力表示部８３３および売電／買電状態表示部８３４が表示画面８３に向かって左から右の方向に向かう方向に発電電力表示部８３１、充放電電力表示部８３２、消費電力表示部８３３および売電／買電状態表示部８３４の順で配置される理由と同じである。
【００９６】
上述したように、制御装置８０は、図３に示す表示画面８３または図４に示す表示画面８３Ａを備える。従って、制御装置８０の表示画面においては、一般的には、少なくとも発電電力表示部８３１、充放電電力表示部８３２および消費電力表示部８３３が表示画面に向かって左から右に向かう方向に発電電力表示部８３１、充放電電力表示部８３２および消費電力表示部８３３の順番で配置されていればよい。
【００９７】
発電電力表示部８３１、充放電電力表示部８３２および消費電力表示部８３３を上記のように配置することによって、ユーザが、太陽光発電システム１００の現在の状態を算出する要因である発電電力ＰＷ、充放電電力ＣＰ／ＤＣＰおよび消費電力ＣＳＭを相互に容易に加算または減算することができ、太陽光発電システム１００の状態が売電状態であるか買電状態であるかを視覚的に容易に理解できるからである。
【００９８】
図５は、図１に示す太陽光発電システム１００の動作状態を示す概略図である。また、図６は、太陽光発電システム１００が図５に示す動作状態であるときの表示画面８３，８３Ａの具体例を示す図である。
【００９９】
なお、図５は、運転モードにおける売電状態を示す。
【０１００】
図５を参照して、運転モードにおいては、制御装置８０の制御手段８２は、運転モードで動作するようにパワーコンディショナー２０，３０を制御し、蓄電池ボックス４０のブレーカ４１をオフするように蓄電池ボックス４０を制御する。
【０１０１】
パワーコンディショナー２０は、制御装置８０からの制御に従って、保護リレー２３および連系リレー２４をオンし、自立リレー２５をオフする。また、パワーコンディショナー３０は、制御装置８０からの制御に従って、保護リレー３４および連系リレー３５をオンし、自立リレー３６をオフする。更に、蓄電池ボックス４０は、制御装置８０からの制御に従って、ブレーカ４１をオフする。
【０１０２】
太陽電池１０は、発電電力ＰＷ１を配線ｗ１を介してパワーコンディショナー２０に供給するとともに発電電力ＰＷ２を配線ｗ１，ｗ２を介してパワーコンディショナー３０に供給する。そして、パワーコンディショナー３０において、ＤＣ／ＤＣ変換器３１は、太陽電池１０から供給された発電電力ＰＷ２を所望の直流電圧を有する直流電力に変換し、その変換した直流電力を配線ｗ９，ｗ３を介してパワーコンディショナー２０のＤＣ／ＡＣ変換器２２へ供給する。
【０１０３】
一方、パワーコンディショナー２０において、ＤＣ／ＤＣ変換器２１は、太陽電池１０から供給された発電電力ＰＷ１を所望の直流電圧を有する直流電力に変換し、その変換した直流電力をＤＣ／ＡＣ変換器２２へ供給する。
【０１０４】
そして、パワーコンディショナー２０のＤＣ／ＡＣ変換器２２は、ＤＣ／ＤＣ変換器２１およびパワーコンディショナー３０のＤＣ／ＤＣ変換器３１から直流電力を受け、その受けた直流電力を交流電力に変換し、その変換した交流電力を配線ｗ４、保護リレー２３、配線ｗ５、連系リレー２４および配線ｗ６を介して電力系統５０へ供給するとともに配線ｗ４、保護リレー２３、配線ｗ５、連系リレー２４および配線ｗ６，ｗ１６を介して家庭内負荷９０へ供給する。
【０１０５】
このように、売電状態にある運転モードにおいては、パワーコンディショナー２０は、発電電力ＰＷの一部を家庭内負荷９０へ供給し、発電電力ＰＷの残りを電力系統５０へ供給する。
【０１０６】
そして、パワーコンディショナー２０は、発電情報ＰＧ１を制御装置８０へ送信し、パワーコンディショナー３０は、発電情報ＰＧ２／蓄電池情報ＢＰＷを制御装置８０へ送信する。この場合、蓄電池情報ＢＰＷは、０Ｗからなる。
【０１０７】
また、売買センサー６０は、配線ｗ６を流れる電流Ｉ２からなる電流ＩＵＧを検出し、その検出した電流ＩＵＧ（＝Ｉ２）を制御装置８０へ送信する。
【０１０８】
そうすると、制御装置８０において、電圧検出手段８１は、売買センサー６０から電流ＩＵＧ（＝Ｉ２）を受信し、パワーコンディショナー２０から発電情報ＰＧ１を受信し、パワーコンディショナー３０から発電情報ＰＧ２／蓄電池情報ＢＰＷを受信する。
【０１０９】
電力検出手段８１は、電流ＩＵＧ（＝Ｉ２）に基づいて、上述した方法によって、太陽光発電システム１００の状態が売電状態であると判定する。そして、電力検出手段８１は、電流Ｉ２を用いて売電電力（＝１．０５ｋＷ）を演算する。
【０１１０】
また、電力検出手段８１は、発電情報ＰＧ１，ＰＧ２に基づいて、発電情報ＰＧ１によって示される発電電力ＰＷ１と発電情報ＰＧ２によって示される発電電力ＰＷ２とを加算して太陽電池１０による発電電力ＰＷ（＝３．５９ｋＷ）を演算する。
【０１１１】
更に、電力検出手段８１は、蓄電池情報ＢＰＷに基づいて充放電電力ＣＰ／ＤＣＰが０Ｗであることを検出する。
【０１１２】
そうすると、電力検出手段８１は、発電電力ＰＷ（＝３．５９ｋＷ）、売電電力（＝１．０５ｋＷ）および充放電電力ＣＰ／ＤＣＰ（＝０Ｗ）を式（１）に代入して消費電力ＣＳＭ（＝２．５４ｋＷ）を演算する。
【０１１３】
そして、電力検出手段８１は、発電電力ＰＷ（＝３．５９ｋＷ）、充放電電力ＣＰ／ＤＣＰ（＝０Ｗ）、消費電力ＣＳＭ（＝２．５４ｋＷ）および太陽光発電システム１００の状態（＝売電中）を制御手段８２へ出力する。
【０１１４】
制御手段８２は、発電電力ＰＷ（＝３．５９ｋＷ）、充放電電力ＣＰ／ＤＣＰ（＝０Ｗ）、消費電力ＣＳＭ（＝２．５４ｋＷ）および太陽光発電システム１００の状態（＝売電中）を電圧検出手段８１から受け、その受けた発電電力ＰＷ（＝３．５９ｋＷ）、充放電電力ＣＰ／ＤＣＰ（＝０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が青色で発光するように表示画面８３（または８３Ａ）を制御する。
【０１１５】
そうすると、表示画面８３（または８３Ａ）は、制御装置８０（＝制御手段８２）からの制御に従って、発電電力ＰＷ（＝３．５９ｋＷ）、充放電電力ＣＰ／ＤＣＰ（＝０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するとともに、ＬＥＤ８３５は、青色で発光する（図６の（ａ），（ｂ）参照）。
【０１１６】
この場合、発電電力（＝３．５９ｋＷ）および消費電力（＝２．５４ｋＷ）は、棒グラフによって表示される。
【０１１７】
図７は、図１に示す太陽光発電システム１００の別の動作状態を示す概略図である。また、図８は、太陽光発電システム１００が図７に示す動作状態であるときの表示画面８３，８３Ａの具体例を示す図である。
【０１１８】
なお、図７は、運転モードにおける買電状態を示す。
【０１１９】
図７を参照して、運転モードにおける買電状態においては、パワーコンディショナー２０，３０は、図５に示す運転モードにおける売電状態と同じように動作し、蓄電池ボックス４０は、動作を停止する。
【０１２０】
その結果、パワーコンディショナー２０は、太陽電池１０から受けた発電電力ＰＷ１とパワーコンディショナー３０から受けた発電電力ＰＷ２とを加算した発電電力ＰＷを交流電力に変換し、その変換した交流電力を配線ｗ４、保護リレー２３、配線ｗ５、連系リレー２４および配線ｗ６，ｗ１６を介して家庭内負荷９０へ供給する。また、電力系統５０は、配線ｗ６，ｗ１６を介して交流電力を家庭内負荷９０へ供給する。
【０１２１】
このように、買電状態にある運転モードにおいては、パワーコンディショナー２０は、発電電力を家庭内負荷９０へ供給し、電力系統５０は、交流電力を家庭内負荷９０へ供給する。
【０１２２】
そして、パワーコンディショナー２０は、発電情報ＰＧ１を制御装置８０へ送信し、パワーコンディショナー３０は、発電情報ＰＧ２／蓄電池情報ＢＰＷを制御装置８０へ送信する。この場合も、蓄電池情報ＢＰＷは、０Ｗからなる。
【０１２３】
また、売買センサー６０は、配線ｗ６を流れる電流Ｉ１からなる電流ＩＵＧを検出し、その検出した電流ＩＵＧ（＝Ｉ１）を制御装置８０へ送信する。
【０１２４】
そうすると、制御装置８０において、電圧検出手段８１は、売買センサー６０から電流ＩＵＧ（＝Ｉ１）を受信し、パワーコンディショナー２０から発電情報ＰＧ１を受信し、パワーコンディショナー３０から発電情報ＰＧ２／蓄電池情報ＢＰＷを受信する。
【０１２５】
電力検出手段８１は、電流ＩＵＧ（＝Ｉ１）に基づいて、上述した方法によって、太陽光発電システム１００の状態が買電状態であると判定する。そして、電力検出手段８１は、電流Ｉ１を用いて買電電力（＝０．９５ｋＷ）を演算する。
【０１２６】
また、電力検出手段８１は、発電情報ＰＧ１，ＰＧ２に基づいて、発電情報ＰＧ１によって示される発電電力ＰＷ１と発電情報ＰＧ２によって示される発電電力ＰＷ２とを加算して太陽電池１０による発電電力ＰＷ（＝１．５９ｋＷ）を演算する。
【０１２７】
更に、電力検出手段８１は、蓄電池情報ＢＰＷから充放電電力ＣＰ／ＤＣＰが０Ｗであることを検出する。
【０１２８】
そうすると、電力検出手段８１は、発電電力ＰＷ（＝１．５９ｋＷ）、買電電力（＝０．９５ｋＷ）および充放電電力ＣＰ／ＤＣＰ（＝０Ｗ）を式（２）に代入して消費電力ＣＳＭ（＝２．５４ｋＷ）を演算する。
【０１２９】
そして、電力検出手段８１は、発電電力ＰＷ（＝１．５９ｋＷ）、充放電電力ＣＰ／ＤＣＰ（＝０Ｗ）、消費電力ＣＳＭ（＝２．５４ｋＷ）および太陽光発電システム１００の状態（＝買電中）を制御手段８２へ出力する。
【０１３０】
制御手段８２は、発電電力ＰＷ（＝１．５９ｋＷ）、充放電電力ＣＰ／ＤＣＰ（＝０Ｗ）、消費電力ＣＳＭ（＝２．５４ｋＷ）および太陽光発電システム１００の状態（＝買電中）を電圧検出手段８１から受け、その受けた発電電力ＰＷ（＝１．５９ｋＷ）、充放電電力ＣＰ／ＤＣＰ（＝０Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が橙色で発光するように表示画面８３（または８３Ａ）を制御する。
【０１３１】
そうすると、表示画面８３（または８３Ａ）は、制御装置８０（＝制御手段８２）からの制御に従って、発電電力ＰＷ（＝１．５９ｋＷ）、充放電電力ＣＰ／ＤＣＰ（＝０Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するとともに、ＬＥＤ８３５は、橙色で発光する（図８の（ａ），（ｂ）参照）。
【０１３２】
この場合、発電電力（＝１．５９ｋＷ）および消費電力（＝２．５４ｋＷ）は、棒グラフによって表示される。
【０１３３】
図９は、図１に示す太陽光発電システム１００の更に別の動作状態を示す概略図である。また、図１０は、太陽光発電システム１００が図９に示す動作状態であるときの表示画面８３，８３Ａの具体例を示す図である。
【０１３４】
なお、図９は、連系モードにおける売電状態および放電状態を示す。
【０１３５】
図９を参照して、連系モードにおける売電状態においては、パワーコンディショナー２０，３０は、図５に示す運転モードにおける売電状態と同じように動作する。
【０１３６】
そして、制御装置８０の制御手段８２は、ブレーカ４１をオンするとともに蓄電池４２が放電するように蓄電池ボックス４０を制御する。蓄電池ボックス４０は、制御手段８２からの制御に応じて、ブレーカ４１をオンするとともに蓄電池４２から電力を放電させる。
【０１３７】
そうすると、蓄電池４２は、放電電力ＤＰＷをブレーカ４１および配線ｗ１４を介してパワーコンディショナー３０の双方向ＤＣ／ＤＣ変換器３３へ供給する。また、蓄電池ボックス４０は、放電電力ＤＰＷからなる蓄電池情報ＢＰＷをＲＳ４８５の通信によってパワーコンディショナー３０へ送信する。
【０１３８】
パワーコンディショナー３０の双方向ＤＣ／ＤＣ変換器３３は、蓄電池４２からの放電電力ＤＰＷ（＝直流電力）を所望の直流電圧を有する直流電力に変換し、その変換した直流電力を配線ｗ８，ｗ１０を介して双方向ＤＣ／ＡＣ変換器３２に供給する。
【０１３９】
そして、双方向ＤＣ／ＡＣ変換器３２は、双方向ＤＣ／ＤＣ変換器３３から直流電力を受け、その受けた直流電力を交流電力に変換し、その変換した交流電力を配線ｗ１１、保護リレー３４、配線ｗ１２、連系リレー３５および配線ｗ１７，ｗ１６を介して家庭内負荷９０へ供給する。
【０１４０】
このように、売電状態および放電状態にある連系モードにおいては、パワーコンディショナー２０は、発電電力ＰＷを電力系統５０および家庭内負荷９０へ供給し、パワーコンディショナー３０は、蓄電池ボックス４０からの放電電力ＤＰＷを家庭内負荷９０へ供給する。
【０１４１】
そして、パワーコンディショナー２０は、発電情報ＰＧ１を制御装置８０へ送信する。また、パワーコンディショナー３０は、蓄電池ボックス４０からの蓄電池情報ＢＰＷを受信し、発電情報ＰＧ２／蓄電池情報ＢＰＷ（＝放電電力ＤＰＷ）を制御装置８０へ送信する。
【０１４２】
また、売買センサー６０は、配線ｗ６を流れる電流Ｉ２からなる電流ＩＵＧを検出し、その検出した電流ＩＵＧ（＝Ｉ２）を制御装置８０へ送信する。
【０１４３】
そうすると、制御装置８０において、電圧検出手段８１は、売買センサー６０から電流ＩＵＧ（＝Ｉ２）を受信し、パワーコンディショナー２０から発電情報ＰＧ１を受信し、パワーコンディショナー３０から発電情報ＰＧ２／蓄電池情報ＢＰＷを受信する。
【０１４４】
電力検出手段８１は、電流ＩＵＧ（＝Ｉ２）に基づいて、上述した方法によって、太陽光発電システム１００の状態が売電状態であると判定する。そして、電力検出手段８１は、電流Ｉ２を用いて売電電力（＝２．２５ｋＷ）を演算する。
【０１４５】
また、電力検出手段８１は、上述したように、発電情報ＰＧ１，ＰＧ２に基づいて太陽電池１０による発電電力ＰＷ（＝３．５９ｋＷ）を演算する。
【０１４６】
更に、電力検出手段８１は、蓄電池情報ＢＰＷに基づいて、充放電電力ＣＰ／ＤＣＰが放電電力ＤＰＷからなり、放電電力ＤＰＷが１．２０Ｗであることを検出する。
【０１４７】
そうすると、電力検出手段８１は、発電電力ＰＷ（＝３．５９ｋＷ）、売電電力（＝２．２５ｋＷ）および放電電力ＤＰＷ（＝１．２０Ｗ）を式（１）に代入して消費電力ＣＳＭ（＝２．５４ｋＷ）を演算する。
【０１４８】
そして、電力検出手段８１は、発電電力ＰＷ（＝３．５９ｋＷ）、放電電力ＤＰＷ（＝１．２０Ｗ）、消費電力ＣＳＭ（＝２．５４ｋＷ）および太陽光発電システム１００の状態（＝売電中）を制御手段８２へ出力する。
【０１４９】
制御手段８２は、発電電力ＰＷ（＝３．５９ｋＷ）、放電電力ＤＰＷ（＝１．２０Ｗ）、消費電力ＣＳＭ（＝２．５４ｋＷ）および太陽光発電システム１００の状態（＝売電中）を電圧検出手段８１から受け、その受けた発電電力ＰＷ（＝３．５９ｋＷ）、放電電力ＤＰＷ（＝１．２０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が青色で発光するように表示画面８３（または８３Ａ）を制御する。
【０１５０】
また、制御手段８２は、充放電電力表示部８３２の背景色を発電電力表示部８３１の背景色と同じ色に設定するように表示画面８３（または８３Ａ）を制御する。
【０１５１】
そうすると、表示画面８３（または８３Ａ）は、制御装置８０（＝制御手段８２）からの制御に従って、発電電力ＰＷ（＝３．５９ｋＷ）、放電電力ＤＰＷ（＝１．２０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するとともに、ＬＥＤ８３５は、青色で発光する（図１０の（ａ），（ｂ）参照）。
【０１５２】
この場合、発電電力ＰＷ（＝３．５９ｋＷ）および消費電力ＣＳＭ（＝２．５４ｋＷ）は、棒グラフによって表示される。
【０１５３】
また、充放電電力表示部８３２の背景色は、発電電力表示部８３１の背景色と同じである。
【０１５４】
更に、充放電電力表示部８３２において、蓄電池４２から外部へ出る方向に矢印が表示される。この矢印は、蓄電池４２が放電中であることを表わす（以下、同じ）。
【０１５５】
図１１は、図１に示す太陽光発電システム１００の更に別の動作状態を示す概略図である。また、図１２は、太陽光発電システム１００が図１１に示す動作状態であるときの表示画面８３，８３Ａの具体例を示す図である。
【０１５６】
なお、図１１は、連系モードにおける売電状態および充電状態を示す。
【０１５７】
図１１を参照して、連系モードにおける売電状態および充電状態においては、制御装置８０の制御手段８２は、パワーコンディショナー２０，３０および蓄電池ボックス４０を動作させる。
【０１５８】
そして、パワーコンディショナー３０は、上述したように、太陽電池１０からの発電電力ＰＷ２をパワーコンディショナー２０へ供給し、パワーコンディショナー２０は、上述したように、太陽電池１０およびパワーコンディショナー３０からそれぞれ発電電力ＰＷ１，ＰＷ２を受ける。
【０１５９】
そうすると、パワーコンディショナー２０は、発電電力ＰＷ１，ＰＷ２の和である発電電力ＰＷを配線ｗ４、保護リレー２３、配線ｗ５、連系リレー２４および配線ｗ６を介して電力系統５０、家庭内負荷９０およびパワーコンディショナー３０へ供給する。
【０１６０】
そして、パワーコンディショナー３０は、配線ｗ１７を介して交流電力を受ける。パワーコンディショナー３０の双方向ＤＣ／ＡＣ変換器３２は、連系リレー３５、配線ｗ１２、保護リレー３４および配線ｗ１１を介して交流電力を受け、その受けた交流電力を直流電力に変換し、その変換した直流電力を配線ｗ８，ｗ１０を介して双方向ＤＣ／ＤＣ変換器３３へ供給する。
【０１６１】
双方向ＤＣ／ＤＣ変換器３３は、双方向ＤＣ／ＡＣ変換器３２からの直流電力を所望の直流電圧を有する直流電力に変換し、その変換した直流電力によって蓄電池４２を充電する。
【０１６２】
このように、売電状態および充電状態にある連系モードにおいては、パワーコンディショナー２０は、発電電力ＰＷを電力系統５０、家庭内負荷９０および蓄電池ボックス４０へ供給する。
【０１６３】
そして、パワーコンディショナー２０は、発電情報ＰＧ１を制御装置８０へ送信する。また、蓄電池ボックス４０は、充電電力ＣＰＷからなる蓄電池情報ＢＰＷをＲＳ４８５の通信によってパワーコンディショナー３０へ送信する。そして、パワーコンディショナー３０は、蓄電池情報ＢＰＷ（＝充電電力ＣＰＷ）を蓄電池ボックス４０から受信し、発電情報ＰＧ２／蓄電池情報ＢＰＷ（＝充電電力ＣＰＷ）を制御装置８０へ送信する。
【０１６４】
また、売買センサー６０は、配線ｗ６を流れる電流Ｉ２からなる電流ＩＵＧを検出し、その検出した電流ＩＵＧ（＝Ｉ２）を制御装置８０へ送信する。
【０１６５】
そうすると、制御装置８０において、電圧検出手段８１は、売買センサー６０から電流ＩＵＧ（＝Ｉ２）を受信し、パワーコンディショナー２０から発電情報ＰＧ１を受信し、パワーコンディショナー３０から発電情報ＰＧ２／蓄電池情報ＢＰＷを受信する。
【０１６６】
電力検出手段８１は、電流ＩＵＧ（＝Ｉ２）に基づいて、上述した方法によって、太陽光発電システム１００の状態が売電状態であると判定する。そして、電力検出手段８１は、電流Ｉ２を用いて売電電力（＝２．２５ｋＷ）を演算する。
【０１６７】
また、電力検出手段８１は、上述したように、発電情報ＰＧ１，ＰＧ２に基づいて太陽電池１０による発電電力ＰＷ（＝５．５９ｋＷ）を演算する。
【０１６８】
更に、電力検出手段８１は、蓄電池情報ＢＰＷから充電電力ＣＰＷが０．８０Ｗであることを検出する。
【０１６９】
そうすると、電力検出手段８１は、発電電力ＰＷ（＝５．５９ｋＷ）、売電電力（＝２．２５ｋＷ）および充電電力ＣＰＷ（＝０．８０Ｗ）を式（３）に代入して消費電力ＣＳＭ（＝２．５４ｋＷ）を演算する。
【０１７０】
そして、電力検出手段８１は、発電電力ＰＷ（＝５．５９ｋＷ）、充電電力ＣＰＷ（＝０．８０Ｗ）、消費電力ＣＳＭ（＝２．５４ｋＷ）および太陽光発電システム１００の状態（＝売電中）を制御手段８２へ出力する。
【０１７１】
制御手段８２は、発電電力ＰＷ（＝５．５９ｋＷ）、充電電力ＣＰＷ（＝０．８０Ｗ）、消費電力ＣＳＭ（＝２．５４ｋＷ）および太陽光発電システム１００の状態（＝売電中）を電圧検出手段８１から受け、その受けた発電電力ＰＷ（＝５．５９ｋＷ）、充電電力ＣＰＷ（＝０．８０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が青色で発光するように表示画面８３（または８３Ａ）を制御する。
【０１７２】
また、制御手段８２は、充放電電力表示部８３２の背景色を消費電力表示部８３３の背景色と同じ色に設定するように表示画面８３（または８３Ａ）を制御する。
【０１７３】
そうすると、表示画面８３（または８３Ａ）は、制御装置８０（＝制御手段８２）からの制御に従って、発電電力ＰＷ（＝５．５９ｋＷ）、充電電力ＣＰＷ（＝０．８０Ｗ）、消費電力ＣＳＭ（＝２．５４ｋＷ）および太陽光発電システム１００の状態（＝売電中）をそれぞれ発電電力表示部８３１、充放電電力表示部８３２、消費電力表示部８３３および売電／買電状態表示部８３４に表示するとともに、ＬＥＤ８３５は、青色で発光する（図１２の（ａ），（ｂ）参照）。
【０１７４】
この場合、発電電力ＰＷ（＝５．５９ｋＷ）および消費電力ＣＳＭ（＝２．５４ｋＷ）は、棒グラフによって表示される。
【０１７５】
また、充放電電力表示部８３２の背景色は、消費電力表示部８３３の背景色と同じである。
【０１７６】
更に、充放電電力表示部８３２において、外部から蓄電池４２へ入る方向に矢印が表示される。この矢印は、蓄電池４２が充電中であることを表わす（以下、同じ）。
【０１７７】
図１３は、図１に示す太陽光発電システム１００の更に別の動作状態を示す概略図である。また、図１４は、太陽光発電システム１００が図１３に示す動作状態であるときの表示画面８３，８３Ａの具体例を示す図である。
【０１７８】
なお、図１３は、連系モードにおける買電状態および放電状態を示す。
【０１７９】
図１３を参照して、連系モードにおける買電状態および放電状態においては、制御装置８０の制御手段８２は、パワーコンディショナー２０，３０および蓄電池ボックス４０を動作させる。この場合、制御手段８２は、蓄電池４２から電力を放電させるように蓄電池ボックス４０を制御する。
【０１８０】
そして、パワーコンディショナー３０は、上述したように、太陽電池１０からの発電電力ＰＷ２をパワーコンディショナー２０へ供給し、パワーコンディショナー２０は、上述したように、太陽電池１０およびパワーコンディショナー３０からそれぞれ発電電力ＰＷ１，ＰＷ２を受ける。
【０１８１】
そうすると、パワーコンディショナー２０は、発電電力ＰＷ１，ＰＷ２の和である発電電力ＰＷを配線ｗ４、保護リレー２３、配線ｗ５、連系リレー２４および配線ｗ６，ｗ１６を介して家庭内負荷９０へ供給する。
【０１８２】
また、系統電力５０は、配線ｗ６，ｗ１６を介して買電電力を家庭内負荷９０へ供給する。
【０１８３】
更に、蓄電池ボックス４０は、制御装置８０からの制御に従って蓄電池４２から直流電力を放電させる。そして、蓄電池４２は、放電電力ＤＰＷ（＝直流電力）をブレーカ４１および配線ｗ１４を介してパワーコンディショナー３０の双方向ＤＣ／ＤＣ変換器３３へ供給する。そして、蓄電池ボックス４０は、放電電力ＤＰＷからなる蓄電池情報ＢＰＷをＲＳ４８５の通信によってパワーコンディショナー３０へ送信する。
【０１８４】
パワーコンディショナー３０の双方向ＤＣ／ＤＣ変換器３３は、蓄電池４２からの放電電力ＤＰＷ（＝直流電力）を所望の直流電圧を有する直流電力に変換し、その変換した直流電力を配線ｗ１０，ｗ８を介して双方向ＤＣ／ＡＣ変換器３２へ供給する。
【０１８５】
そして、双方向ＤＣ／ＡＣ変換器３２は、双方向ＤＣ／ＤＣ変換器３３からの直流電力を交流電力に変換し、その変換した交流電力を配線ｗ１１、保護リレー３４、配線ｗ１２、連系リレー３５および配線ｗ１７，ｗ１６を介して家庭内負荷９０へ供給する。
【０１８６】
このように、買電状態および放電状態にある連系モードにおいては、パワーコンディショナー２０は、発電電力ＰＷを家庭内負荷９０へ供給し、系統電力５０は、買電電力を家庭内負荷９０へ供給し、パワーコンディショナー３０は、蓄電池ボックス４０からの放電電力ＤＰＷを家庭内負荷９０へ供給する。
【０１８７】
そして、パワーコンディショナー２０は、発電情報ＰＧ１を制御装置８０へ送信する。また、パワーコンディショナー３０は、蓄電池情報ＢＰＷ（＝放電電力ＤＰＷ）を蓄電池ボックス４０から受信し、発電情報ＰＧ２／蓄電池情報ＢＰＷ（＝放電電力ＤＰＷ）を制御装置８０へ送信する。
【０１８８】
また、売買センサー６０は、配線ｗ６を流れる電流Ｉ１からなる電流ＩＵＧを検出し、その検出した電流ＩＵＧ（＝Ｉ１）を制御装置８０へ送信する。
【０１８９】
そうすると、制御装置８０において、電圧検出手段８１は、売買センサー６０から電流ＩＵＧ（＝Ｉ１）を受信し、パワーコンディショナー２０から発電情報ＰＧ１を受信し、パワーコンディショナー３０から発電情報ＰＧ２／蓄電池情報ＢＰＷを受信する。
【０１９０】
電力検出手段８１は、電流ＩＵＧ（＝Ｉ１）に基づいて、上述した方法によって、太陽光発電システム１００の状態が買電状態であると判定する。そして、電力検出手段８１は、電流Ｉ１を用いて買電電力（＝０．４５ｋＷ）を演算する。
【０１９１】
また、電力検出手段８１は、上述したように、発電情報ＰＧ１，ＰＧ２に基づいて太陽電池１０による発電電力ＰＷ（＝１．５９ｋＷ）を演算する。
【０１９２】
更に、電力検出手段８１は、蓄電池情報ＢＰＷに基づいて、充放電電力ＣＰ／ＤＣＰが放電電力ＤＰＷからなり、放電電力ＤＰＷが０．５０Ｗであることを検出する。
【０１９３】
そうすると、電力検出手段８１は、発電電力ＰＷ（＝１．５９ｋＷ）、買電電力（＝０．４５ｋＷ）および放電電力ＤＰＷ（＝０．５０Ｗ）を式（２）に代入して消費電力ＣＳＭ（＝２．５４ｋＷ）を演算する。
【０１９４】
そして、電力検出手段８１は、発電電力ＰＷ（＝１．５９ｋＷ）、放電電力ＤＰＷ（＝０．５０Ｗ）、消費電力ＣＳＭ（＝２．５４ｋＷ）および太陽光発電システム１００の状態（＝買電中）を制御手段８２へ出力する。
【０１９５】
制御手段８２は、発電電力ＰＷ（＝１．５９ｋＷ）、放電電力ＤＰＷ（＝０．５０Ｗ）、消費電力ＣＳＭ（＝２．５４ｋＷ）および太陽光発電システム１００の状態（＝買電中）を電圧検出手段８１から受け、その受けた発電電力ＰＷ（＝１．５９ｋＷ）、放電電力ＤＰＷ（＝０．５０Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が橙色で発光するように表示画面８３（または８３Ａ）を制御する。
【０１９６】
また、制御手段８２は、充放電電力表示部８３２の背景色を発電電力表示部８３１の背景色と同じ色に設定するように表示画面８３（または８３Ａ）を制御する。
【０１９７】
そうすると、表示画面８３（または８３Ａ）は、制御装置８０（＝制御手段８２）からの制御に従って、発電電力ＰＷ（＝１．５９ｋＷ）、放電電力ＤＰＷ（＝０．５０Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するとともに、ＬＥＤ８３５は、橙色で発光する（図１４の（ａ），（ｂ）参照）。
【０１９８】
この場合、発電電力ＰＷ（＝１．５９ｋＷ）および消費電力ＣＳＭ（＝２．５４ｋＷ）は、棒グラフによって表示される。
【０１９９】
また、充放電電力表示部８３２の背景色は、発電電力表示部８３１の背景色と同じである。
【０２００】
更に、充放電電力表示部８３２において、蓄電池４２から外部へ出る方向に矢印が表示される。
【０２０１】
図１５は、図１に示す太陽光発電システム１００の更に別の動作状態を示す概略図である。また、図１６は、太陽光発電システム１００が図１５に示す動作状態であるときの表示画面８３，８３Ａの具体例を示す図である。
【０２０２】
なお、図１５は、連系モードにおける買電状態および充電状態を示す。
【０２０３】
図１５を参照して、連系モードにおける買電状態および充電状態においては、制御装置８０の制御手段８２は、パワーコンディショナー２０，３０および蓄電池ボックス４０を動作させる。この場合、制御手段８２は、蓄電池４２を充電させるようにパワーコンディショナー３０および蓄電池ボックス４０を制御する。
【０２０４】
そして、パワーコンディショナー３０は、上述したように、太陽電池１０からの発電電力ＰＷ２をパワーコンディショナー２０へ供給し、パワーコンディショナー２０は、上述したように、太陽電池１０およびパワーコンディショナー３０からそれぞれ発電電力ＰＷ１，ＰＷ２を受ける。
【０２０５】
そうすると、パワーコンディショナー２０は、発電電力ＰＷ１，ＰＷ２の和である発電電力ＰＷを配線ｗ４、保護リレー２３、配線ｗ５および連系リレー２４を介して配線ｗ６へ供給する。また、系統電力５０は、買電電力を配線ｗ６に供給する。
【０２０６】
そして、配線ｗ６上の電力（＝発電電力ＰＷ＋買電電力）は、配線ｗ１６を介して家庭内負荷９０へ供給されるとともに配線ｗ１６，ｗ１７を介してパワーコンディショナー３０へ供給される。
【０２０７】
パワーコンディショナー３０の双方向ＤＣ／ＡＣ変換器３２は、連系リレー３５、配線ｗ１２、保護リレー３４および配線ｗ１１を介して交流電力を受け、その受けた交流電力を直流電力に変換する。そして、双方向ＤＣ／ＡＣ変換器３２は、その変換した直流電力を配線ｗ８，ｗ１０を介して双方向ＤＣ／ＤＣ変換器３３へ供給する。
【０２０８】
そして、双方向ＤＣ／ＤＣ変換器３３は、双方向ＤＣ／ＡＣ変換器３２からの直流電力を所望の直流電圧を有する直流電力に変換し、その変換した直流電力によって蓄電池４２を充電する。
【０２０９】
このように、買電状態および充電状態にある連系モードにおいては、パワーコンディショナー２０および系統電力５０は、それぞれ、発電電力ＰＷおよび買電電力を家庭内負荷９０および蓄電池４２へ供給する。
【０２１０】
そして、パワーコンディショナー２０は、発電情報ＰＧ１を制御装置８０へ送信する。蓄電池ボックス４０は、充電電力ＣＰＷからなる蓄電池情報ＢＰＷをＲＳ４８５の通信によってパワーコンディショナー３０へ送信する。パワーコンディショナー３０は、充電電力ＣＰＷからなる蓄電池情報ＢＰＷを蓄電池ボックス４０から受信し、発電情報ＰＧ２／蓄電池情報ＢＰＷ（＝充電電力ＣＰＷ）を制御装置８０へ送信する。
【０２１１】
また、売買センサー６０は、配線ｗ６を流れる電流Ｉ１からなる電流ＩＵＧを検出し、その検出した電流ＩＵＧ（＝Ｉ１）を制御装置８０へ送信する。
【０２１２】
そうすると、制御装置８０において、電圧検出手段８１は、売買センサー６０から電流ＩＵＧ（＝Ｉ１）を受信し、パワーコンディショナー２０から発電情報ＰＧ１を受信し、パワーコンディショナー３０から発電情報ＰＧ２／蓄電池情報ＢＰＷを受信する。
【０２１３】
電力検出手段８１は、電流ＩＵＧ（＝Ｉ１）に基づいて、上述した方法によって、太陽光発電システム１００の状態が買電状態であると判定する。そして、電力検出手段８１は、電流Ｉ１を用いて買電電力（＝１．５５ｋＷ）を演算する。
【０２１４】
また、電力検出手段８１は、上述したように、発電情報ＰＧ１，ＰＧ２に基づいて太陽電池１０による発電電力ＰＷ（＝１．８０ｋＷ）を演算する。
【０２１５】
更に、電力検出手段８１は、蓄電池情報ＢＰＷから充電電力ＣＰＷが０．８１Ｗであることを検出する。
【０２１６】
そうすると、電力検出手段８１は、発電電力ＰＷ（＝１．８０ｋＷ）、買電電力（＝１．５５ｋＷ）および充電電力ＣＰＷ（＝０．８１Ｗ）を式（４）に代入して消費電力ＣＳＭ（＝２．５４ｋＷ）を演算する。
【０２１７】
そして、電力検出手段８１は、発電電力ＰＷ（＝１．８０ｋＷ）、充電電力ＣＰＷ（＝０．８１Ｗ）、消費電力ＣＳＭ（＝２．５４ｋＷ）および太陽光発電システム１００の状態（＝買電中）を制御手段８２へ出力する。
【０２１８】
制御手段８２は、発電電力ＰＷ（＝１．８０ｋＷ）、充電電力ＣＰＷ（＝０．８１Ｗ）、消費電力ＣＳＭ（＝２．５４ｋＷ）および太陽光発電システム１００の状態（＝買電中）を電圧検出手段８１から受け、その受けた発電電力ＰＷ（＝１．８０ｋＷ）、充電電力ＣＰＷ（＝０．８１Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するように表示画面８３（または８３Ａ）を制御するとともにＬＥＤ８３５が橙色で発光するように表示画面８３（または８３Ａ）を制御する。
【０２１９】
また、制御手段８２は、充放電電力表示部８３２の背景色を消費電力表示部８３３の背景色と同じ色に設定するように表示画面８３（または８３Ａ）を制御する。
【０２２０】
そうすると、表示画面８３（または８３Ａ）は、制御装置８０（＝制御手段８２）からの制御に従って、発電電力ＰＷ（＝１．８０ｋＷ）、充電電力ＣＰＷ（＝０．８１Ｗ）、消費電力ＣＳＭ（＝２．５４ｋＷ）および太陽光発電システム１００の状態（＝買電中）をそれぞれ発電電力表示部８３１、充放電電力表示部８３２、消費電力表示部８３３および売電／買電状態表示部８３４に表示するとともに、ＬＥＤ８３５は、橙色で発光する（図１６の（ａ），（ｂ）参照）。
【０２２１】
この場合、発電電力ＰＷ（＝１．８０ｋＷ）および消費電力ＣＳＭ（＝２．５４ｋＷ）は、棒グラフによって表示される。
【０２２２】
また、充放電電力表示部８３２の背景色は、消費電力表示部８３３の背景色と同じである。
【０２２３】
更に、充放電電力表示部８３２において、外部から蓄電池４２へ入る方向に矢印が表示される。
【０２２４】
図１７は、図１に示す太陽光発電システム１００の更に別の動作状態を示す概略図である。なお、図１７は、自立モードにおける充電状態を示す。
【０２２５】
図１７を参照して、自立モードにおける充電状態においては、パワーコンディショナー２０は、保護リレー２３および連系リレー２４が停電によってオフするので、動作を停止し、パワーコンディショナー３０は、保護リレー３４および連系リレー３５が停電によってオフするので、動作を停止する。
【０２２６】
そして、制御装置８０の制御手段８２は、表示画面８３（または８３Ａ）の“運転切り替えボタン”８３６がタッチされると、ユーザによって太陽光発電システム１００の復帰が指示されたことを検知する。
【０２２７】
そうすると、制御装置８０の制御手段８２は、自立リレー３６をオンするとともに蓄電池４２を充電するようにパワーコンディショナー３０を制御するとともに、Ｌレベルの切替信号ＥＸを切替スイッチ４３へ出力する。
【０２２８】
そして、パワーコンディショナー３０は、制御装置８０の制御手段８２からの制御に従って、自立リレー３６をオンする。また、切替スイッチ４３は、Ｌレベルの切替信号ＥＸに応じて、スイッチ４３１を端子４３２に接続する。
【０２２９】
更に、パワーコンディショナー３０のＤＣ／ＤＣ変換器３１は、太陽電池１０からの発電電力ＰＷ２を所望の直流電圧を有する直流電力に変換し、その変換した直流電力を双方向ＤＣ／ＡＣ変換器３２および双方向ＤＣ／ＤＣ変換器３３へ供給する。
【０２３０】
双方向ＤＣ／ＤＣ変換器３３は、ＤＣ／ＤＣ変換器３１からの直流電力を所望の直流電圧を有する直流電力に変換し、その変換した直流電力によって蓄電池４２を充電する。
【０２３１】
一方、双方向ＤＣ／ＡＣ変換器３２は、ＤＣ／ＤＣ変換器３１からの直流電力を交流電力に変換し、その変換した交流電力を配線ｗ１３、自立リレー３６、配線ｗ１５、切替スイッチ４３および配線ｗ１９を介して家庭内専用負荷１１０へ供給する。
【０２３２】
これによって、家庭内専用負荷１１０は、電力系統５０が停電中であっても、太陽電池１０の発電電力ＰＷ２によって駆動される。
【０２３３】
この場合、売電状態および買電状態のいずれも生じないので、制御手段８２は、発電電力ＰＷ、充放電電力ＣＰ／ＤＣＰ、消費電力ＣＳＭおよび太陽光発電システム１００の状態を画面８３（または８３Ａ）に表示しない。
【０２３４】
図１８は、図１に示す太陽光発電システム１００の更に別の動作状態を示す概略図である。なお、図１８は、自立モードにおける放電状態を示す。
【０２３５】
図１８を参照して、自立モードにおける放電状態においては、パワーコンディショナー２０は、保護リレー２３および連系リレー２４が停電によってオフするので、動作を停止し、パワーコンディショナー３０は、保護リレー３４および連系リレー３５が停電によってオフするので、動作を停止する。
【０２３６】
そして、制御装置８０の制御手段８２は、表示画面８３（または８３Ａ）の“運転切り替えボタン”８３６がタッチされると、ユーザによって太陽光発電システム１００の復帰が指示されたことを検知する。
【０２３７】
そうすると、制御装置８０の制御手段８２は、自立リレー３６をオンするとともに蓄電池４２から電力を放電するようにパワーコンディショナー３０を制御するとともに、Ｌレベルの切替信号ＥＸを切替スイッチ４３へ出力する。
【０２３８】
そして、パワーコンディショナー３０は、制御装置８０の制御手段８２からの制御に従って、自立リレー３６をオンする。また、切替スイッチ４３は、Ｌレベルの切替信号ＥＸに応じて、スイッチ４３１を端子４３２に接続する。
【０２３９】
更に、蓄電池４２は、放電電力ＤＰＷをブレーカ４１および配線ｗ１４を介してパワーコンディショナー３０の双方向ＤＣ／ＤＣ変換器３３へ供給する。
【０２４０】
そして、双方向ＤＣ／ＤＣ変換器３３は、蓄電池４２からの放電電力ＤＰＷ（＝直流電力）を所望の直流電圧を有する直流電力に変換し、その変換した直流電力を双方向ＤＣ／ＡＣ変換器３２へ供給する。
【０２４１】
また、パワーコンディショナー３０のＤＣ／ＤＣ変換器３１は、太陽電池１０からの発電電力ＰＷ２を所望の直流電圧を有する直流電力に変換し、その変換した直流電力を双方向ＤＣ／ＡＣ変換器３２へ供給する。
【０２４２】
双方向ＤＣ／ＡＣ変換器３２は、ＤＣ／ＤＣ変換器３１および双方向ＤＣ／ＤＣ変換器３３からの直流電力を交流電力に変換し、その変換した交流電力を配線ｗ１３、自立リレー３６、配線ｗ１５、切替スイッチ４３および配線ｗ１９を介して家庭内専用負荷１１０へ供給する。
【０２４３】
これによって、家庭内専用負荷１１０は、電力系統５０が停電中であっても、太陽電池１０の発電電力ＰＷ２および蓄電池４２からの放電電力ＤＰＷによって駆動される。
【０２４４】
この場合も、売電状態および買電状態のいずれも生じないので、制御手段８２は、発電電力ＰＷ、充放電電力ＣＰ／ＤＣＰ、消費電力ＣＳＭおよび太陽光発電システム１００の状態を画面８３（または８３Ａ）に表示しない。
【０２４５】
上述したように、制御装置８０は、太陽光発電システム１００のモードが運転モードまたは連系モードであるとき、発電電力ＰＷ、充放電電力ＣＰ／ＤＣＰ、消費電力ＣＳＭおよび太陽光発電システム１００の状態（＝売電中または買電中）を表示画面８３（または８３Ａ）に表示する。
【０２４６】
その結果、ユーザは、太陽光発電システム１００が売電状態および買電状態のいずれであるかを視覚的に容易に認識できる。
【０２４７】
また、太陽光発電システム１００の現在の状態を算出する要因である発電電力ＰＷ、充放電電力ＣＰ／ＤＣＰおよび消費電力ＣＳＭは、表示画面８３（または８３Ａ）に向かって左から右に向かう方向に発電電力ＰＷ、充放電電力ＣＰ／ＤＣＰおよび消費電力ＣＳＭの順で表示されるので、ユーザが、太陽光発電システム１００の現在の状態を算出する要因である発電電力ＰＷ、充放電電力ＣＰ／ＤＣＰおよび消費電力ＣＳＭを相互に容易に加算または減算することができる。
【０２４８】
上記においては、発電電力ＰＷおよび消費電力ＣＳＭは、棒グラフによって表示されると説明したが、この発明の実施の形態においては、これに限らず、発電電力ＰＷおよび消費電力ＣＳＭは、円グラフによって表示されてもよく、一般的には、どのような方法で表示されてもよい。
【０２４９】
また、上記においては、ＬＥＤ８３５は、太陽光発電システム１００の状態が売電状態であるとき、青色の光で発光し、太陽光発電システム１００の状態が買電状態であるとき、橙色の光で発光すると説明したが、この発明の実施の形態においては、これに限らず、ＬＥＤ８３５は、一般的に、太陽光発電システム１００の状態が売電状態であるとき、第１の色で発光し、太陽光発電システム１００の状態が買電状態であるとき、第１の色と異なる第２の色で発光すればよい。
【０２５０】
更に、上記においては、表示画面８３（または８３Ａ）は、太陽光発電システム１００の状態（＝買電状態または売電状態）を示す光を発光するＬＥＤ８３５、および運転切り替えボタン８３６を備えていると説明したが、この発明の実施の形態においては、表示画面８３（または８３Ａ）は、ＬＥＤ８３５および運転切り替えボタン８３６を備えていなくてもよい。
【０２５１】
表示画面８３（または８３Ａ）がＬＥＤ８３５および運転切り替えボタン８３６を備えていなくても、発電電力表示部８３１、充放電電力表示部８３２、消費電力表示部８３３および売電／買電状態表示部８３４が備えられていれば、太陽光発電システム１００の状態（＝買電状態または売電状態）を決定する（発電電力）±（充放電電力）−（消費電力）の式を表示画面８３（または８３Ａ）上に実現できるからである。
【０２５２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２５３】
この発明は、制御装置およびそれを備えた太陽光発電システムに適用される。
【符号の説明】
【０２５４】
１０  太陽電池、２０，３０  パワーコンディショナー、２１，３１  ＤＣ／ＤＣ変換器、２２  ＤＣ／ＡＣ変換器、２３，３４  保護リレー、２４，３５  連系リレー、２５，３６  自立リレー、３２，３３  双方向ＤＣ／ＡＣ変換器、４３  切替スイッチ、４０  蓄電池ボックス、４１  ブレーカ、４２  蓄電池、５０  電力系統、６０  売買センサー、７０  電流センサー、８０  制御装置、８１  電圧検出手段、８２  制御手段、８３，８３Ａ  表示画面、９０  家庭内負荷、１００  太陽光発電システム、１１０  家庭内専用負荷、４３１  スイッチ、４３２，４３３  端子、８３１  発電電力表示部、８３２  充放電電力表示部、８３３  消費電力表示部、８３４  売電／買電状態表示部、８３５  ＬＥＤ、８３６  運転切り替えボタン。
【図１】
2014054084.tif 000003
【図２】
2014054084.tif 000004
【図３】
2014054084.tif 000005
【図４】
2014054084.tif 000006
【図５】
2014054084.tif 000007
【図６】
2014054084.tif 000008
【図７】
2014054084.tif 000009
【図８】
2014054084.tif 000010
【図９】
2014054084.tif 000011
【図１０】
2014054084.tif 000012
【図１１】
2014054084.tif 000013
【図１２】
2014054084.tif 000014
【図１３】
2014054084.tif 000015
【図１４】
2014054084.tif 000016
【図１５】
2014054084.tif 000017
【図１６】
2014054084.tif 000018
【図１７】
2014054084.tif 000019
【図１８】
2014054084.tif 000020